(57)【要約】【課題】引裂帯を切断して開封した後、容易に再封緘でき、その状態から容易に再開封できる包装箱を提供する。【解決手段】内蓋フラップ５の先端側に摘み部９を設け、差込片１０を内蓋フラップ５の本体部８から摘み部９への切込により形成し、摘み部９の中央部分に先端縁から差込片１０の切込へ向けて縦罫線１１を入れ、摘み部９の基端罫線１２を差込片１０の基部から両側方へかけて先端側へ傾斜させる。引裂帯１３を引き裂いて開封した後、外蓋フラップ６に内蓋フラップ５を重ね、差込片１０の部分を下方へ押圧すると、内蓋フラップ５の摘み部９が上方へ持ち上がるように撓んで、摘み部９から分離した差込片１０が差込穴１５に差し込まれるので、容易に再封緘できる。また、その状態から摘み部９を引き上げると、差込片１０が差込穴１５から引き抜かれるので、容易に再開封できる。【選択図】図２
2006076641.tif 000002
【特許請求の範囲】
【請求項１】
対向する側板の上縁から内蓋フラップ及び外蓋フラップを、端板の上縁から端フラップをそれぞれ延出し、外蓋フラップに切目線に挟まれた横方向の引裂帯を設け、端フラップを内側へ折り曲げ、引裂帯より先端側で外蓋フラップを内蓋フラップに貼り合わせて封緘し、引裂帯を引き裂いて、外蓋フラップを切断すると開封され、内蓋フラップの差込片を外蓋フラップの差込穴に差し込むと再封緘できるようにした包装箱において、前記内蓋フラップの先端側に摘み部を設け、前記差込片を内蓋フラップの本体部から摘み部への切込により形成し、摘み部の中央部分に先端縁から差込片の切込へ向けて縦罫線を入れ、摘み部の基端罫線を差込片の基部から両側方へかけて先端側へ傾斜させたことを特徴とする再封緘機能付包装箱。
【発明の詳細な説明】
【技術分野】
【０００１】
この発明は、引裂帯を切断して開封した後、再封緘できるようにした包装箱に関する。
【背景技術】
【０００２】
従来、菓子等の包装箱として、図７に示すように、対向する側板５１の上縁から内蓋フラップ５３及び外蓋フラップ５４を、端板５２の上縁から端フラップ５５をそれぞれ延出し、外蓋フラップ５４に、鉤形の切目が断続する２本の平行な切目線５７に挟まれた横方向の引裂帯５６を設け、端フラップ５５を内側へ折り曲げ、引裂帯５６より先端側で外蓋フラップ５４を内蓋フラップ５３に貼り合わせて封緘するものが使用されている。
【０００３】
この包装箱は、引裂帯５６を一端から引き裂いて、外蓋フラップ５４を切断すると、図８に示すように、上端面が開封されて開口し、その後、内蓋フラップ５３の先端に設けた差込片５８を、外蓋フラップ５４に形成したスリット状の差込穴５９に差し込むと、再封緘することができる。
【発明の開示】
【発明が解決しようとする課題】
【０００４】
しかしながら、上記のような包装箱では、再封緘に際し、内蓋フラップ５３を丸めるように撓ませつつ、差込片５８を浅い角度で差込穴５９に狙いを定めて差し込まなければならず、再封緘しづらいという問題があるほか、その状態から再開封する際、差込片５８を差込穴５９から引き抜くのも容易でないという問題がある。
【０００５】
そこで、この発明は、引裂帯を切断して開封した後、容易に再封緘でき、その状態から容易に再開封できる包装箱を提供することを課題とする。
【課題を解決するための手段】
【０００６】
上記課題を解決するため、この発明は、対向する側板の上縁から内蓋フラップ及び外蓋フラップを、端板の上縁から端フラップをそれぞれ延出し、外蓋フラップに切目線に挟まれた横方向の引裂帯を設け、端フラップを内側へ折り曲げ、引裂帯より先端側で外蓋フラップを内蓋フラップに貼り合わせて封緘し、引裂帯を引き裂いて、外蓋フラップを切断すると開封され、内蓋フラップの差込片を外蓋フラップの差込穴に差し込むと再封緘できるようにした包装箱において、前記内蓋フラップの先端側に摘み部を設け、前記差込片を内蓋フラップの本体部から摘み部への切込により形成し、摘み部の中央部分に先端縁から差込片の切込へ向けて縦罫線を入れ、摘み部の基端罫線を差込片の基部から両側方へかけて先端側へ傾斜させたのである。
【発明の効果】
【０００７】
このような包装箱は、引裂帯を引き裂いて開封した後、外蓋フラップに内蓋フラップを重ね、差込片の部分を下方へ押圧すると、内蓋フラップの摘み部が上方へ持ち上がるように撓んで、摘み部から分離した差込片が差込穴に差し込まれるので、容易に再封緘することができる。また、その状態から摘み部を引き上げると、差込片が差込穴から引き抜かれて、容易に再開封することができる。
【発明を実施するための最良の形態】
【０００８】
以下、この発明の実施形態を添付図面に基づいて説明する。
【０００９】
図1に示すように、この包装箱の板紙製ブランクでは、各一対の側板１及び端板２が交互に連設され、一方の側板１の外側縁には継代片３が設けられている。各側板１の下縁には底フラップ４が連設され、一方の側板１の上縁には内蓋フラップ５が、他方の側板１の上縁には外蓋フラップ６がそれぞれ連設されている。また、各端板２の上下縁には、端フラップ７がそれぞれ連設されている。
【００１０】
内蓋フラップ５には、本体部８の先端側に摘み部９が連設され、本体部８から摘み部９への切込により差込片１０が形成されている。摘み部９の中央部分には、先端縁から差込片１０の切込へ向けて縦罫線１１が入れられ、摘み部９の基端罫線１２は、差込片１０の基部から両側方へかけて先端側へ傾斜している。
【００１１】
外蓋フラップ６には、横方向の引裂帯１３が設けられ、この引裂帯１３は、鉤形の切目が断続する２本の切目線１４に挟まれたものとなっている。引裂帯１３の基端側には差込穴１５が形成され、この差込穴１５は、差込片１０の差込方向への幅を有し、差込片１０の先端側に対応する端縁は膨出弧状とされている。
【００１２】
上記ブランクを組み立てて菓子等の商品を包装するには、図２に示すように、各一対の側板１及び端板２を角筒状に折り曲げ、継代片３を反対側の端板２の内面に貼着して周壁を形成し、下方の端フラップ７を内側へ折り曲げ、底フラップ４同士を貼り合わせて底面を閉止する。その後、箱内に商品を収納し、上方の端フラップ７を内側へ折り曲げ、引裂帯１３より先端側で外蓋フラップ６を内蓋フラップ５に貼り合わせて封緘する。
【００１３】
この包装過程においては、端フラップ７、内蓋フラップ５及び外蓋フラップ６の重なり合う関係が従来の包装箱と同様であるため、包装箱の使用者が保有する既存の包装ラインを改造することなく、そのまま利用することができる。
【００１４】
そして、このように封緘した包装箱を開封する際には、図３及び図４に示すように、引裂帯１３を一端から引き裂き、外蓋フラップ６を切断すると、外蓋フラップ６及び内蓋フラップ５を開くことができる。この開封状態では、外蓋フラップ６の先端側部分が内蓋フラップ５に貼り付けられたまま残存する。
【００１５】
一方、上記のように開封した包装箱を再封緘する際には、図５及び図６に示すように、外蓋フラップ６に内蓋フラップ５を重ね、差込片１０の部分を下方へ押圧すると、縦罫線１１が山折り方向に折れ曲がると共に、基端罫線１２が谷折り方向に折れ曲がり、内蓋フラップ５の摘み部９が上方へ持ち上がるように撓んで、摘み部９から分離した差込片１０が差込穴１５に差し込まれるので、容易に再封緘することができる。
【００１６】
また、その状態から再び開封する場合には、縦罫線１１の部分で摘み部９の先端部の下面に指を掛けて、摘み部９を引き上げると、内蓋フラップ５を丸めるように撓ませたりすることなく、差込片１０が差込穴１５から引き抜かれるので、容易に再開封することができ、内部の商品を取り出すことができる。
【図面の簡単な説明】
【００１７】
【図１】この発明に係る再封緘機能付包装箱のブランクを示す図
【図２】同上の包装箱の封緘状態を示す斜視図
【図３】同上の開封過程を示す斜視図
【図４】同上の開封状態を示す斜視図
【図５】同上の再封緘過程を示す斜視図
【図６】同上の再封緘状態を示す斜視図
【図７】従来の再封緘機能付包装箱の封緘状態を示す斜視図
【図８】同上の開封状態を示す斜視図
【符号の説明】
【００１８】
１  側板
２  端板
３  継代片
４  底フラップ
５  内蓋フラップ
６  外蓋フラップ
７  端フラップ
８  本体部
９  摘み部
１０  差込片
１１  縦罫線
１２  基端罫線
１３  引裂帯
１４  切目線
１５  差込穴
【図１】
2006076641.tif 000003
【図２】
2006076641.tif 000004
【図３】
2006076641.tif 000005
【図４】
2006076641.tif 000006
【図５】
2006076641.tif 000007
【図６】
2006076641.tif 000008
【図７】
2006076641.tif 000009
【図８】
2006076641.tif 000010